(57)【要約】【課題】カラーファイルを通信可能なファクシミリ装置において、より安定した通信を可能とすること。【解決手段】カラー通信においてサポートする色空間を選択可能とし、色空間Ｌａｂが選択されていない場合、あるいは相手側ファクシミリ装置が色空間ＬａｂによるＪＰＥＧフルカラー符号化情報の受信機能を持たない場合にはダイレクト送信を無効とすることにより、ＤＮＬマーカをサポートしていない受信機が存在していたとしても、エラー無く送信を行うことができる。【選択図】  図６
2004153465.tif 000002
【特許請求の範囲】
【請求項１】
原稿画像を第１の色空間及び第１の色空間と異なる第２の色空間のいずれかでのＪＰＥＧ符号化情報として送信可能なファクシミリ装置であって、
前記第１及び第２の色空間のそれぞれについて、ＪＰＥＧ符号化情報の送信を利用するか否かを記憶する記憶手段と、
原稿の同一ページに対する読み込みと送信とを並行して行うように送信設定されている場合、前記第１の色空間でのＪＰＥＧ符号化情報の送信を利用することが前記記憶装置に記憶されており、かつ相手側ファクシミリ装置が前記第１の色空間でのＪＰＥＧ符号化情報の受信機能を有する場合にのみ、前記送信設定を有効とする制御手段を有することを特徴とするファクシミリ装置。
【発明の詳細な説明】
【０００１】
【発明の属する技術分野】
本発明は、ファクシミリ通信技術、特に、カラー情報を通信可能なファクシミリ通信技術に関するものである。
【０００２】
【従来の技術】
従来のカラー情報を通信可能なファクシミリ装置は、ＩＴＵ−Ｔ勧告Ｔ．３０、Ｔ．４、Ｔ．８１、Ｔ．４２で技術標準が規定され、これら規格に準拠したカラーファクシミリ装置は色空間Ｌａｂでのカラー情報を通信する。一方、最近のデジタルカメラの普及に伴い、デジタルカメラで撮影した画像情報をそのままファクシミリプロトコルを使用して送信したいというニーズが高まってきた。
【０００３】
しかしながら、デジタルカメラが画像記録に使用している色空間はＬａｂでなく、色空間ｓＹＣＣ（ｓＲＧＢをベースとするＹＣＣ）である。このため、色空間ｓＹＣＣでの情報、たとえばＪＰＥＧ符号化情報をそのまま送信するためのファクシミリプロトコルについての検討がなされている。
【０００４】
【発明が解決しようとする課題】
色空間ｓＹＣＣのＪＰＥＧフルカラー送信を考えると、基本的には、カラー原稿情報（原稿を読み取って生成された画像情報）の送信では無く、デジタルカメラで撮影し、メモリカードやハードディスク等の記憶媒体に格納されているファイル情報の送信であるケースが多いと考えられる。この場合は、既に１ページ分の情報がメモリカードに格納されているため、副走査方向のライン数も事前に判っている。このため、従来の色空間Ｌａｂでのカラー原稿情報の送信と異なり、副走査方向のライン数をＪＰＥＧのヘッダ情報で通知するケースが多くなる事が予想される。そのため、色空間ｓＹＣＣのＪＰＥＧカラー情報を受信する場合、ヘッダ部分でライン数を受け取ることを前提とし、ＤＮＬマーカをサポートしない受信機が存在する可能性がある。
【０００５】
一方、カラー原稿情報を送信する場合には、１ページ分の読み込みが終了するまで副走査方向のライン数はわからないため、ダイレクトに送信する場合には、ＪＰＥＧカラー情報のヘッダ部分にはライン数を指定できない。そのため、ＪＰＥＧファイルの画像情報の後に配置されるＤＮＬマーカ（Ｄｅｆｉｎｅ  Ｎｕｍｂｅｒ  ｏｆ  Ｌｉｎｅｓ  Ｍａｒｋｅｒ：画素ライン数指定マーカ）によって、ライン数を指定することになる。
【０００６】
上述のように、色空間ＬａｂのＪＰＥＧカラー情報を送信するファクシミリぷトロコルは規格化されているため、ヘッダ情報ではなくＤＮＬマーカを用いてライン数を指定しても受信側で通信エラーが生じることはない。しかし、色空間ｓＹＣＣでのカラー原稿送信については規格化されていないため、色空間ｓＹＣＣのＪＰＥＧカラー情報受信においてＤＮＬマーカをサポートしない受信機は送信エラーを起こす可能性がある。
【０００７】
本発明はこのような問題を解決することを目的としたものであり、受信機が万一色空間ｓＹＣＣのＪＰＥＧカラー情報受信に際してＤＮＬマーカをサポートしない受信機であっても、色空間ｓＹＣＣでのカラー原稿送信を正常に行うことのできるファクシミリ装置を提供することにある。
【０００８】
【課題を解決するための手段】
すなわち、本発明の要旨は、原稿画像を第１の色空間及び第１の色空間と異なる第２の色空間のいずれかでのＪＰＥＧ符号化情報として送信可能なファクシミリ装置であって、第１及び第２の色空間のそれぞれについて、ＪＰＥＧ符号化情報の送信を利用するか否かを記憶する記憶手段と、原稿の同一ページに対する読み込みと送信とを並行して行うように送信設定されている場合、第１の色空間でのＪＰＥＧ符号化情報の送信を利用することが記憶装置に記憶されており、かつ相手側ファクシミリ装置が第１の色空間でのＪＰＥＧ符号化情報の受信機能を有する場合にのみ、送信設定を有効とする制御手段を有することを特徴とするファクシミリ装置に存する。
【０００９】
【発明の実施の形態】
以下、添付図面を参照して、本発明をその好適な実施形態に基づき詳細に説明する。
図１は、本発明の実施形態に係るファクシミリ装置の構成例を示すブロック図である。
【００１０】
２は、ＮＣＵ（網制御装置）で、電話網をデータ通信等に使用するために、その回線の端末に接続し、電話交換網の接続制御を行ったり、データ通信路への切り換えを行ったり、ループの保持を行うものである。また、ＮＣＵ２は、バス２６からの制御により、電話回線２ａを電話機側に接続（ＣＭＬオフ）したり、電話回線２ａをファクシミリ装置側に接続（ＣＭＬオン）するものである。なお、通常状態では、電話回線２ａは、電話機４側に接続されている。
【００１１】
４は、電話機である。
６は、ハイブリッド回路であり、送信系の信号と受信系の信号とを分離し、加算回路１２からの送信信号をＮＣＵ２経由で電話回線２ａに送出し、相手側からの信号をＮＣＵ２経由で受け取り、信号線６ａ経由で変復調器８に送るものである。
【００１２】
８は、ＩＴＵ−Ｔ勧告Ｖ．８、Ｖ．２１、Ｖ．２７ｔｅｒ、Ｖ．２９、Ｖ．１７、Ｖ．３４に基づいた変調及び復調を行う変復調器であり、バス２６の制御により、どの勧告に基づいた変復調を行うかが指定される。変復調器８は、バス２６からの送信信号を入力して変調データを信号線８ａに出力するとともに、信号線６ａに出力されている受信信号を入力して復調データをバス２６に出力する。
【００１３】
１０は、発呼回路であり、バス２６からの信号により、電話番号情報を入力し、信号線１０ａにＤＴＭＦの選択信号を出力する。
１２は、加算回路であり、信号線８ａの情報と信号線１０ａの情報を入力し、加算した結果を信号線１２ａに出力する。
【００１４】
１４は、カラー読み取り可能な読取回路であり、読み取りデータをバス２６に出力する。
１６は、カラー記録可能な記録回路であり、バス２６に出力されている情報を順次１ライン毎に記録する。
【００１５】
１８は、メモリ回路であり、ワーク用のメモリ（ＲＡＭ）、さらに、読み取りデータの生情報、あるいは、符号化した情報を格納したり、また、受信情報、あるいは、復号化した情報等をバス２６を介して格納するために使用する。
メモリ回路１８には、図３に示す様に、本実施形態に係るファクシミリ装置におけるカラー通信でサポートする色空間を登録する領域がある。本実施形態において、サポート可能な色空間はＬａｂとｓＹＣＣであるとする。
【００１６】
２０は、操作部であり、ワンタッチダイヤル、短縮ダイヤル、テンキー、＊キー、＃キー、スタートキー、ストップキー、セットキー、カラー情報の送信を選択するキー、カラー原稿送信選択キー、ダイレクト送信選択キー、サポートする色空間登録キー、メモリカード情報の送信選択キー、その他のファンクションキーがあり、押下されたキー情報はバス２６に出力される。
【００１７】
操作部２０には、図示しない表示部があり、バス２６に出力されている情報を表示する。
２２は、ＣＰＵ（中央処理装置）であり、ファクシミリ伝送制御手順の実行を含めたファクシミリ装置全体の制御を行う。ＣＰＵ２２の制御プログラムは、ＲＯＭ２４に格納される。
【００１８】
２６は、バスである。
２８は、カードインターフェイスであり、３０のリムーバブルメモリカード（例えば、デジタルカメラで撮影した情報が記憶されているメモリカード）がセットされる。
【００１９】
図２は、本実施形態において用いられる、ＤＩＳ（Ｄｉｇｉｔａｌ  Ｉｎｆｏｒｍａｔｉｏｎ  Ｓｉｇｎａｌ）／ＤＴＣ（Ｄｉｇｉｔａｌ  Ｔｒａｎｓｍｉｔ  Ｓｉｇｎａｌ）信号およびＤＣＳ（Ｄｉｇｉｔａｌ  Ｃｏｎｔｒｏｌ  Ｓｉｇｎａｌ）信号におけるＦＩＦ（Ｆａｃｓｉｍｉｌｅ  Ｉｎｆｏｒｍａｔｉｏｎ  Ｆｉｅｌｄ）のビット番号とそのビットが”１”である場合に有効な意味（状態）を示し、ＩＴＵ−Ｔ勧告Ｔ．３０に規定されているものと本発明によって新たに設定されたものを含んでいる。
ＤＩＳ／ＤＴＣ信号のＦＩＦの第６８ビットにより、色空間ＬａｂでのＪＰＥＧ受信機能の有無を通知し、ＤＣＳ信号のＦＩＦの第６８ビットにより、色空間ＬａｂでのＪＰＥＧ送信を指定する。
【００２０】
また、ＤＩＳ／ＤＴＣ信号のＦＩＦの第６９ビットにより、色空間Ｌａｂでのフルカラー受信機能の有無を通知し、ＤＣＳ信号のＦＩＦの第６９ビットにより、色空間Ｌａｂのフルカラー送信を指定する。
ＤＩＳ／ＤＴＣ信号のＦＩＦのＸビットにより、色空間ｓＹＣＣでのＪＰＥＧ符号化／フルカラー受信機能の有無を通知し、ＤＣＳ信号のＦＩＦのＸビットにより、色空間ｓＹＣＣでのＪＰＥＧ符号化／フルカラー送信を指定をする。なお、Ｘは、現在Ｔ．３０勧告に規定されていないビット番号を意味している。
【００２１】
２４は、ＲＯＭであり、ＣＰＵ２２の制御プログラムが格納されている。ＣＰＵ２２はＲＯＭ２４に格納された制御プログラムを実行することによって、従来のカラーファクシミリ装置と同等の送受信機能および、色空間ｓＹＣＣでのＪＰＥＧ符号化情報の送受信機能を含め、以下に説明する、本実施形態に係るファクシミリ装置の動作を実現する。
【００２２】
次に、図４〜図１２に示すフローチャートを用いて、本実施形態に係るファクシミリ装置の動作について説明する。なお、図４〜図１２に示す動作は、ＣＰＵ２２がＲＯＭ２４に記憶された制御プログラムを実行し、ファクシミリ装置の各構成要素を制御することによって実現される。
【００２３】
図４において、Ｓ０は、始めを表している。
Ｓ２では、バス２６を介して、メモリ１８をイニシャライズする。
Ｓ４では、バス２６を介して、操作部２０の図示しない表示部をクリアする。Ｓ６では、バス２６を介してＮＣＵ２のＣＭＬをオフ（電話回線２ａを電話機側に接続）する。
【００２４】
Ｓ８では、操作部２０の情報を入力して、サポートする色空間の登録が選択されたか否かが判断され、ＹＥＳであるとＳ１０に進み、メモリ１８に、サポートする色空間（ｓＹＣＣ、Ｌａｂ）に関する情報をユーザの選択に従い登録する。Ｓ８でＮＯであればＳ１２に進む。
Ｓ１２では、ファクシミリ受信が選択されたか否かが判断され、ＹＥＳであるとＳ１８に進み、ＮＯであるとＳ１４に進む。
【００２５】
Ｓ１４では、ファクシミリ送信が選択されたか否かが判断され、ＹＥＳであるとＳ３８に進む。ＮＯであればＳ１６に進み、その他の処理を行い、Ｓ６へ戻る。
Ｓ１８では、バス２６を介してＮＣＵ２のＣＭＬをオン（電話回線２ａをファクシミリ装置側に接続）する。
【００２６】
Ｓ２０では、メモリ１８を参照し、サポートする色空間としてＬａｂが登録されているか否かを判断する。登録されていればＳ２２に進み、されていなければＳ２４に進む。
Ｓ２２では、メモリ１８を参照し、サポートする色空間としてｓＹＣＣが登録されているか否かを判断する。登録されていればＳ２８に進み、されていなければＳ３０に進む。
【００２７】
Ｓ２４では、Ｓ２２と同様に、メモリ１８を参照し、サポートする色空間としてｓＹＣＣが登録されているか否かを判断する。登録されていればＳ２６に進み、されていなければＳ３２に進む。
Ｓ２６では前手順を行う。ここで、前手順で相手先ファクシミリ装置へ送信するＤＩＳ信号のＲＦの６８、６９ビットは０として、Ｘビットは１、すなわち色空間Ｌａｂのサポートはなく、色空間ｓＹＣＣのＪＰＥＧフルカラーの受信機能がサポートされていることを通知する。
【００２８】
Ｓ２８では前手順を行う。ここで、前手順で相手先ファクシミリ装置へ送信するＤＩＳ信号のＦＩＦの６８、６９、Ｘビットは１、すなわち色空間Ｌａｂ及び色空間ｓＹＣＣでのＪＰＥＧフルカラーの受信機能がサポートされていることを通知する。
Ｓ３０では前手順を行う。ここで、前手順で相手先ファクシミリ装置へ送信するＤＩＳ信号のＦＩＦの６８、６９ビットは１として、Ｘビットは０、すなわち色空間ＬａｂでのＪＰＥＧフルカラー受信のみがサポートされ、色空間ｓＹＣＣのＪＰＥＧフルカラーの受信機能はサポートされないことを通知する。
【００２９】
Ｓ３２は前手順を表している。ここで、ＤＩＳ信号のＦＩＦの６８、６９、Ｘビットは０、すなわち、色空間Ｌａｂ、色空間ｓＹＣＣのＪＰＥＧフルカラーの受信機能はいずれもサポートされていないことを通知する。
Ｓ３４では、ＤＩＳ信号を受けて送信機からＤＣＳ信号で指定された内容に基づいたファクシミリ情報を受信する。
Ｓ３６では、後手順を行い、Ｓ６へ戻る。
【００３０】
Ｓ３８では、操作部の情報を入力して、ダイレクト送信が選択されたか否かが判断され、ＹＥＳであるとＳ４０に進み、ＮＯであるとＳ６８に進む。ここで、ダイレクト送信とは、原稿の読み取りと送信を並行して行う送信方法を意味する。この場合、１ページ分の原稿を読み取り終わる前にそのページの送信が開始されるため、送信開始時、即ちＪＰＥＧヘッダを送信する際にはそのページの総ライン数がわからない。従って、ＪＰＥＧマーカのうちＤＮＬマーカを使用してライン数を指定することになる。
Ｓ４０では、操作部２０の情報を入力して、カラー送信が選択されたか否かが判断され、ＹＥＳであるとＳ４２に進み、ＮＯであるとＳ６２に進む。
【００３１】
Ｓ４２では、メモリ１８に、色空間Ｌａｂが本ファクシミリ装置がサポートする色空間として登録されているか否かが判断され、ＹＥＳ（登録されている）であるとＳ４８に進み、ＮＯであるとＳ４４に進む。
本ファクシミリ装置で色空間Ｌａｂがサポートされていない場合、規格に従った送信ができないため、Ｓ４４でダイレクト送信の選択を無効とする（例えば、操作部２０に設けられたダイレクト送信ランプを消灯する、ダイレクト送信キーの選択状態を解除する等）。
そして、Ｓ４６で、操作部２０の図示しない表示部に、「ダイレクト送信でのカラー送信はできません。」等のエラーメッセージを表示する。この表示はその後の何らかのキー操作で消去され、Ｓ６へ戻る。
【００３２】
Ｓ４８では、バス２６を介して、ＮＣＵ２のＣＭＬをオンする。
Ｓ５０では、バス２６を介して、発呼回路１０を使用して指定された宛先へ発呼する。
Ｓ５２では、前手順を開始する。
Ｓ５４では、相手側ファクシミリ装置から受信したＤＩＳ信号のＦＩＦの６８、６９ビットは１であるか否か、即ち相手側ファクシミリ装置が色空間ＬａｂのＪＰＥＧフルカラー受信機能を有するか否かが判断され、ＹＥＳ（有する）であるとＳ５６に進み、ＮＯであるとＳ４６に進む。
【００３３】
Ｓ５６は、残りの前手順を実行する。ここで、相手側ファクシミリ装置へ送信するＤＣＳ信号のＦＩＦの６８、６９ビットを１にし、相手側ファクシミリ装置に色空間ＬａｂのＪＰＥＧフルカラー受信を指定する。
そして、Ｓ５８で、色空間ＬａｂでのフルカラーＪＰＥＧダイレクト送信を実行し、送信ライン数はＤＮＬマーカを用いて相手受信機に通知する。
Ｓ６０では、後手順を行い、Ｓ６へ戻る。
【００３４】
Ｓ６２では、バス２６を介して、ＮＣＵ２のＣＭＬをオンする。
Ｓ６４では、バス２６を介して発呼回路１０を使用し、指定された宛先へ発呼する。
Ｓ６６では、前手順を行う。
Ｓ６８では、モノクロダイレクト送信を実行する。
Ｓ７０では、後手順を行い、Ｓ６へ戻る。
【００３５】
Ｓ７２では、操作部２０の情報を入力して、カラー送信が選択されたか否かが判断され、ＹＥＳ（カラー送信選択）であるとＳ８６に進み、ＮＯであるとＳ７４に進む。
Ｓ７４では、送信する原稿情報をモノクロで読み取り、符号化し、メモリへ格納する。
【００３６】
Ｓ７６では、バス２６を介して、ＮＣＵ２のＣＭＬをオンする。
Ｓ７８では、バス２６を介して発呼回路１０を使用し、指定された宛先へ発呼する。
Ｓ８０では、前手順を行う。
Ｓ８２では、メモリに格納されたモノクロ情報を必要によりサイズ変換し、モノクロ送信する。
Ｓ８４では、後手順を行い、Ｓ６へ戻る。
【００３７】
Ｓ８６では、メモリ１８を参照し、サポートする色空間としてＬａｂが登録されているか否かを判断する。登録されていればＳ９０に進み、されていなければＳ８８に進む。
Ｓ８８では、メモリ１８を参照し、サポートする色空間としてｓＹＣＣが登録されているか否かを判断する。登録されていればＳ１１６に進み、されていなければＳ１１４に進む。
Ｓ９０では、送信する情報を色空間ＬａｂでのＪＰＥＧフルカラー符号化し、、メモリへ格納する。
【００３８】
Ｓ９２では、バス２６を介して、ＮＣＵ２のＣＭＬをオンする。
Ｓ９４では、バス２６を介して発呼回路１０を使用し、指定された宛先へ発呼する。
Ｓ９６で、前手順を開始する。
Ｓ９８では、相手側ファクシミリ装置から受信したＤＩＳ信号のＦＩＦの６８、６９ビットは１であるか否か、即ち相手側ファクシミリ装置が色空間ＬａｂのＪＰＥＧフルカラー受信機能を有するか否かが判断され、ＹＥＳ（有する）であるとＳ１００に進み、ＮＯであるとＳ１０６に進む。
【００３９】
Ｓ１００では、残りの前手順を実行する。ここで、相手側ファクシミリ装置へ送信するＤＣＳ信号のＦＩＦの６８、６９ビットを１にし、相手側ファクシミリ装置に色空間ＬａｂのＪＰＥＧフルカラー受信を指定する。
Ｓ１０２では、メモリに格納された色空間ＬａｂでのＪＰＥＧフルカラー情報を必要に応じてサイズ変換し、色空間ＬａｂでのＪＰＥＧフルカラー送信の実行行う。この送信では、ＪＰＥＧヘッダのＹパラメータでライン数を通知し、ＤＮＬマーカは使用しない。ダイレクト送信が選択されていない場合には、１ページ分のデータがメモリに格納され、ライン数が確定してから送信を開始するため、ＪＰＥＧヘッダでライン数を通知することができる。
Ｓ１０４で、後手順を行い、Ｓ６へ戻る。
【００４０】
Ｓ１０６では、相手側ファクシミリ装置から受信したＤＩＳ信号のＦＩＦのＸビットは１であるか否か、即ち相手側ファクシミリ装置が色空間ｓＹＣＣのＪＰＥＧフルカラー受信機能を有するか否かが判断され、ＹＥＳ（有する）であるとＳ１０８に進み、ＮＯであるとＳ１１４に進む。
Ｓ１０８は、残りの前手順を実行する。ここで、相手側ファクシミリ装置へ送信するＤＣＳ信号のＦＩＦのＸビットを１にし、色空間ｓＹＣＣのＪＰＥＧフルカラー受信を指定する。
【００４１】
Ｓ１１０は、メモリに格納された色空間ＬａｂでのＪＰＥＧフルカラー情報を必要に応じてサイズ変換し、そして、色空間の変換をし、色空間ｓＹＣＣでのＪＰＥＧフルカラー送信の実行する。ここでの送信においても、ライン数の通知はＪＰＥＧヘッダのＹパラメータで通知し、ＤＮＬマーカは使用しない。
Ｓ１１２では、後手順を行い、Ｓ６へ戻る。
Ｓ１１４では、操作部２０の表示部に、カラー送信ができない旨のエラーメッセージ、例えば「カラー送信はできません。」を表示する。この表示は何らかのキー操作で消去され、Ｓ６へ戻る。
【００４２】
Ｓ１１６は、送信する情報を色空間ｓＹＣＣでのＪＰＥＧフルカラー符号化、メモリへの格納を表している。
Ｓ１１８では、バス２６を介して、ＮＣＵ２のＣＭＬをオンする。
Ｓ１２０では、バス２６を介して発呼回路１０を使用し、指定された宛先へ発呼する。
【００４３】
Ｓ１２２で、前手順を開始する。
Ｓ１２４では、相手側ファクシミリ装置から受信したＤＩＳ信号のＦＩＦのＸビットは１であるか否か、すなわち、相手側ファクシミリ装置が色空間ｓＹＣＣのＪＰＥＧフルカラー受信機能を有するか否かが判断され、ＹＥＳ（有する）であるとＳ１２６に進み、ＮＯであるとＳ１３２に進む。
【００４４】
Ｓ１２６では、残りの前手順を実行する。ここで、相手側ファクシミリ装置へ送信するＤＣＳ信号のＦＩＦのＸビットを１にし、色空間ｓＹＣＣのＪＰＥＧフルカラー受信を指定する。
Ｓ１２８は、メモリに格納された色空間ｓＹＣＣでのＪＰＥＧフルカラー情報を必要に応じてサイズ変換し、色空間ｓＹＣＣでのＪＰＥＧフルカラー送信の実行を表している。ここで、ライン数はＪＰＥＧヘッダのＹパラメータで通知し、ＤＮＬマーカは使用しない。
Ｓ１３０では、後手順を行い、Ｓ６へ戻る。
【００４５】
Ｓ１３２では、相手側ファクシミリ装置から受信したＤＩＳ信号のＦＩＦの６８、６９ビットは１であるか否か、すなわち相手側ファクシミリ装置が色空間ＬａｂのＪＰＥＧフルカラー受信機能を有するか否かが判断され、ＹＥＳ（有する）であるとＳ１３４に進む。ＮＯの場合はＳ１１４に進んで、エラーメッセージ表示を行う。
Ｓ１３４では、残りの前手順を実行する。ここで、相手側ファクシミリ装置へ送信するＤＣＳ信号のＦＩＦの６８、６９ビットを１にし、相手側ファクシミリ装置へ色空間ＬａｂのＪＰＥＧフルカラー受信を指定する。
【００４６】
Ｓ１３６では、メモリに格納された色空間ｓＹＣＣでのＪＰＥＧフルカラー情報を必要に応じてサイズ変換し、そして、色空間の変換をし、色空間ＬａｂでのＪＰＥＧフルカラー送信の実行を行う。ここで、ライン数はＪＰＥＧヘッダのＹパラメータで通知し、ＤＮＬマーカは使用しない。
Ｓ１３８で、後手順を行い、Ｓ６へ戻る。
【００４７】
【他の実施形態】
上述の実施形態においては、サポートする色空間として、Ｌａｂ及びｓＹＣＣのみを例示したが、将来的に他の色空間での原稿画像をＪＰＥＧ符号化して送信する場合にも、本発明を適用することが可能である。
【００４８】
また、前述した実施形態の機能を実現するソフトウェアのプログラム（実施形態では図４〜図１２に示すフローチャートに対応したプログラム）を、記録媒体から直接、或いは有線／無線通信を用いて当該プログラムを実行可能なコンピュータを有するシステム又は装置に供給し、そのシステム或いは装置のコンピュータが該供給されたプログラムを実行することによって同等の機能が達成される場合も本発明に含む。
【００４９】
従って、本発明の機能処理をコンピュータで実現するために、該コンピュータに供給、インストールされるプログラムコード自体も本発明を実現するものである。つまり、本発明の機能処理を実現するためのコンピュータプログラム自体も本発明に含まれる。
【００５０】
その場合、プログラムの機能を有していれば、オブジェクトコード、インタプリタにより実行されるプログラム、ＯＳに供給するスクリプトデータ等、プログラムの形態を問わない。
【００５１】
プログラムを供給するための記録媒体としては、例えば、フレキシブルディスク、ハードディスク、磁気テープ等の磁気記録媒体、ＭＯ、ＣＤ−ＲＯＭ、ＣＤ−Ｒ、ＣＤ−ＲＷ、ＤＶＤ−ＲＯＭ、ＤＶＤ−Ｒ、ＤＶＤ−ＲＷ等の光／光磁気記憶媒体、不揮発性の半導体メモリなどがある。
【００５２】
有線／無線通信を用いたプログラムの供給方法としては、コンピュータネットワーク上のサーバに本発明を形成するコンピュータプログラムそのもの、もしくは圧縮され自動インストール機能を含むファイル等、クライアントコンピュータ上で本発明を形成するコンピュータプログラムとなりうるデータファイル（プログラムデータファイル）を記憶し、接続のあったクライアントコンピュータにプログラムデータファイルをダウンロードする方法などが挙げられる。この場合、プログラムデータファイルを複数のセグメントファイルに分割し、セグメントファイルを異なるサーバに配置することも可能である。
【００５３】
つまり、本発明の機能処理をコンピュータで実現するためのプログラムデータファイルを複数のユーザに対してダウンロードさせるサーバ装置も本発明に含む。
【００５４】
また、本発明のプログラムを暗号化してＣＤ−ＲＯＭ等の記憶媒体に格納してユーザに配布し、所定の条件を満たしたユーザに対して暗号化を解く鍵情報を、例えばインターネットを介してホームページからダウンロードさせることによって供給し、その鍵情報を使用することにより暗号化されたプログラムを実行してコンピュータにインストールさせて実現することも可能である。
【００５５】
また、コンピュータが、読み出したプログラムを実行することによって、前述した実施形態の機能が実現される他、そのプログラムの指示に基づき、コンピュータ上で稼動しているＯＳなどが、実際の処理の一部または全部を行ない、その処理によっても前述した実施形態の機能が実現され得る。
【００５６】
さらに、記録媒体から読み出されたプログラムが、コンピュータに挿入された機能拡張ボードやコンピュータに接続された機能拡張ユニットに備わるメモリに書き込まれた後、そのプログラムの指示に基づき、その機能拡張ボードや機能拡張ユニットに備わるＣＰＵなどが実際の処理の一部または全部を行ない、その処理によっても前述した実施形態の機能が実現され得る。
【００５７】
本発明の実施態様を以下に列挙する。
【００５８】
［実施態様１］  原稿画像を第１の色空間及び第１の色空間と異なる第２の色空間のいずれかでのＪＰＥＧ符号化情報として送信可能なファクシミリ装置であって、
前記第１及び第２の色空間のそれぞれについて、ＪＰＥＧ符号化情報の送信を利用するか否かを記憶する記憶手段と、
原稿の同一ページに対する読み込みと送信とを並行して行うように送信設定されている場合、前記第１の色空間でのＪＰＥＧ符号化情報の送信を利用することが前記記憶装置に記憶されており、かつ相手側ファクシミリ装置が前記第１の色空間でのＪＰＥＧ符号化情報の受信機能を有する場合にのみ、前記送信設定を有効とする制御手段を有することを特徴とするファクシミリ装置。
【００５９】
［実施態様２］  前記記憶手段の内容をユーザが設定するための操作部を更に有することを特徴とする実施態様１記載のファクシミリ装置。
【００６０】
［実施態様３］  前記第１の色空間がＬａｂ、前記第２の色空間がｓＹＣＣであることを特徴とする実施態様１又は実施態様２記載のファクシミリ装置。
【００６１】
［実施態様４］  色空間ｓＹＣＣでのＪＰＥＧ符号化情報の通信機能有無を、ＤＩＳ信号及びＤＣＳ信号のＦＩＦで通知することを特徴とする実施態様１乃至実施態様３のいずれか１項に記載のファクシミリ装置。
【００６２】
［実施態様５］  原稿画像を第１の色空間及び第１の色空間と異なる第２の色空間のいずれかでのＪＰＥＧ符号化情報として送信可能なファクシミリ装置方法であって、
前記第１及び第２の色空間のそれぞれについて、ＪＰＥＧ符号化情報の送信を利用するか否かを記憶する記憶ステップと、
原稿の同一ページに対する読み込みと送信とを並行して行うように送信設定されている場合、前記第１の色空間でのＪＰＥＧ符号化情報の送信を利用することが前記記憶ステップで記憶されており、かつ相手側ファクシミリ装置が前記第１の色空間でのＪＰＥＧ符号化情報の受信機能を有する場合にのみ、前記送信設定を有効とする制御ステップを有することを特徴とするファクシミリ通信方法。
【００６３】
【発明の効果】
以上説明したように、本発明によれば、通信可能な色空間を登録可能とし、送信側及び受信側の両方で色空間Ｌａｂが通信可能な色空間として登録されている場合のみカラー情報のダイレクト送信の選択を有効とすることにより、相手側ファクシミリ装置がＤＮＬマーカをサポートしない場合であっても通信エラーを起こすことなく通信が可能となる。
【図面の簡単な説明】
【図１】本発明の一実施形態に係るファクシミリ装置の構成例を示すブロック図である。
【図２】本発明の実施形態に係るファクシミリ装置で用いるＦＩＦの例を示す図である。
【図３】本発明の実施形態に係るファクシミリ装置においてメモリ１８に設けられる、サポートする色空間の設定値を保存する領域の内容例を示す図である。
【図４】、
【図５】、
【図６】、
【図７】、
【図８】、
【図９】、
【図１０】、
【図１１】、
【図１２】本発明の実施形態に係るファクシミリ装置の動作を説明するフローチャートである。
【符号の説明】
２  ＮＣＵ
４  電話機
６  ハイブリツド回路
８  変復調器
１０  発呼回路
１２  加算回路
１４  読み取り回路
１６  記録回路
１８  メモリ回路
２０  操作部
２２  ＣＰＵ
２４  ＲＯＭ
２６  バス
２８  カードインターフェイス
３０  メモリカード
【図１】
2004153465.tif 000003
【図２】
2004153465.tif 000004
【図３】
2004153465.tif 000005
【図４】
2004153465.tif 000006
【図５】
2004153465.tif 000007
【図６】
2004153465.tif 000008
【図７】
2004153465.tif 000009
【図８】
2004153465.tif 000010
【図９】
2004153465.tif 000011
【図１０】
2004153465.tif 000012
【図１１】
2004153465.tif 000013
【図１２】
2004153465.tif 000014